【事件の表示】
　特願２００５−２０１７８７「記録媒体」拒絶査定不服審判事件〔平成１７年１２月　２日出願公開、特開２００５−３３２５７７〕について、次のとおり審決する。
【結　論】
　本件審判の請求は、成り立たない。
【理　由】
第１　手続の経緯
　　
　本件審判の請求に係る特許出願（以下「本願」という。）は、平成８年８月２６日に出願した特願平８−２４２６５９号の一部を平成１７年７月１１日に新たな特許出願としたものであって、平成１８年２月６日付けで手続補正がなされたが、同年２月２８日付けで拒絶査定がなされ、これに対し、同年４月５日に拒絶査定不服審判が請求されるとともに、同年４月２８日付けで手続補正がなされたものである。
　　
　　　　
第２　平成１８年４月２８日付けの手続補正についての補正却下の決定
　　
［補正却下の決定の結論］
　　
　平成１８年４月２８日付けの手続補正を却下する。
　　
［補正却下の決定の理由］
　　
１．本件補正
　　　　
　平成１８年４月２８日付けの手続補正（以下「本件補正」という。）は、特許請求の範囲及び明細書について補正をするもので、そのうち特許請求の範囲については、本件補正前、
「【請求項１】
　再生専用光ディスクであって、プログラム領域と管理領域とがその径方向に分割して形成されており、
　上記プログラム領域には、複数のプログラムと、上記プログラム領域の位置を示すアドレス情報とが記録されており、
　上記管理領域には、識別情報と上記識別情報によって第１および第２の内容が規定される付随情報とが記録されており、
　上記第１の内容は、上記複数のプログラムに関連するテキスト情報であり、
　上記第２の内容は、上記複数のプログラムのそれぞれの一部であるダイジェスト情報を管理するダイジェスト管理情報であり、
　上記ダイジェスト管理情報は、上記ダイジェスト情報のアドレスを示す記録位置情報と、上記複数のプログラムの記録時に決定された、上記ダイジェスト情報の再生の順番を指示する優先度情報とを含み、
　再生装置に装填されて上記管理領域が再生装置に読み込まれ、上記ダイジェスト情報のみを再生する場合に、読み込まれた上記優先度情報で示される順番でもって、読み込まれた上記記録位置情報が指示するアドレスに記録されているダイジェスト情報が再生される記録媒体。」
としていたものを、
　　　　
「【請求項１】
　再生専用光ディスクであって、プログラム領域と管理領域とがその径方向に分割して形成されており、
　
複数
を上記プログラム領域に配して
し
　
識別
複数のプログラムに関連するテキスト情報および上記複数のプログラムのそれぞれの一部であるダイジェスト情報を管理するダイジェスト管理情報とを上記管理領域に配して記録し、
　再生装置に装填されて上記管理領域が再生装置に読み込まれ、上記ダイジェスト情報のみを再生する場合に、読み込まれた上記優先度情報で示される順番でもって、読み込まれた上記記録位置情報が指示するアドレスに記録されているダイジェスト情報が再生される記録媒体。」
と補正しようとするものである。
　　　　
２．補正の目的
　　　　
　特許請求の範囲の請求項１について、本件補正は、
（i）本件補正前の
「上記プログラム領域には、複数のプログラムと、上記プログラム領域の位置を示すアドレス情報とが記録されており、」
を
「
複数
を上記プログラム領域に配して
し
に、
（ii）本件補正前の
「上記管理領域には、識別情報と上記識別情報によって第１および第２の内容が規定される付随情報とが記録されており、
　上記第１の内容は、上記複数のプログラムに関連するテキスト情報であり、
　上記第２の内容は、上記複数のプログラムのそれぞれの一部であるダイジェスト情報を管理するダイジェスト管理情報であり、」
を
「
識別
複数のプログラムに関連するテキスト情報および上記複数のプログラムのそれぞれの一部であるダイジェスト情報を管理するダイジェスト管理情報とを上記管理領域に配して記録し、
に各々補正するものであるところ、上記（i）（ii）は概略、
　上記（i）は、
（i-a）本件補正前の「上記プログラム領域には、・・・（略）・・・が記録されており」を、「・・・（略）・・・
を上記プログラム領域に配して記録し
　また、上記（ii）は、
（ii-a）本件補正前の「上記管理領域には、・・・（略）・・・が記載されており」を、「・・・（略）・・・
を上記管理領域に配して記録し
（ii-b）本件補正前の「識別情報と」を、「識別情報と
、
各々補正し、
（ii-c）本件補正前に、「複数のプログラムに関連するテキスト情報」を「第１の内容」と、「複数のプログラムのそれぞれの一部であるダイジェスト情報を管理するダイジェスト管理情報」を「第２の内容」と、当該各情報を併せたものを「付随情報」と表現しているところ、「第１の内容」「第２の内容」及び「第１および第２の内容が規定される付随情報」を削除し、
（ii-d）本件補正前の
「上記識別情報によって第１および第２の内容が規定される付随情報とが記録されており、
　上記第１の内容は、上記複数のプログラムに関連するテキスト情報であり、
　上記第２の内容は、」
を、
「上記識別情報によって
識別
と補正するものである。なお、上記下線は当審で付与した。
　上記（i-a）（ii-a）（ii-b）は、発明特定事項を実質的に限定するものではない。
　上記（ii-c）は、もともと存在する事項について重複していた用語を削除する事で整理したに過ぎず、発明特定事項に実質的に影響を与えるものでない。
　上記（ii-d）について、「識別情報によって・・・規定される」を「識別情報によって・・・
識別
　以上のとおり、本件補正は発明特定事項を実質的に限定しない重複表現の一部要素の削除ないし分説分けしているものを入れ替えているにすぎないもので、本件補正が発明特定事項を実質的に限定するものではない事は明らかである。したがって、本件補正は特許請求の範囲の減縮を目的とするものではない。
　　
　そして、本件補正が、請求項の削除、誤記の訂正、及び、拒絶理由通知に係る拒絶の理由に示す事項についてするところの明りょうでない記載の釈明を目的とするものではない事は、明らかである。
　　　　
３．本件補正についてのむすび
　　　
　以上のとおり、本件補正は、平成１８年改正前特許法第１７条の２第４項各号に掲げる事項を目的とするものでないから、特許法第１５９条第１項において読み替えて準用する同法第５３条第１項の規定により却下すべきものである。
　
第３　本願発明について
　
１．本願発明
　  　　　
　平成１８年４月２８日付け手続補正は上記「第２」のとおり却下されたので、本願の請求項１に係る発明は、平成１８年２月６日付けの手続補正により補正された特許請求の範囲の請求項１に記載された事項により特定されるものと認めるところ、その請求項１に係る発明は、上記「第２［補正却下の決定の理由］１．本件補正」において補正前の【請求項１】として記載したとおりものと認める。（以下「本願発明」という。）
　　　　　
２．刊行物
　　　
　これに対し、原査定の拒絶の理由において引用された刊行物である特開平８−１４７９４２号公報（以下「引例１」という。）には、記録媒体及び再生装置に関して図面と共に次の事項が記載されている。なお下線は当審で付与した。
（い）「【特許請求の範囲】
【請求項１】  
１又は複数の楽曲データと、各楽曲データについての管理情報が記録されているとともに、前記管理情報には、各楽曲データについて、その一部分を抽出して再生させることができるようにするための抽出再生データが記録されていることを特徴とする記録媒体
【請求項２】  １又は複数の楽曲データと、各楽曲データについての管理情報が記録されているとともに、前記管理情報には、各楽曲データについて、その一部分を抽出して再生させることができるようにするための抽出再生データが記録されている記録媒体
に対応する再生装置
再生可能状態に収納されている１又は複数の記録媒体のそれぞれから各楽曲データについての抽出再生データを読み出し
プログラム操作に応じて
再生すべき楽曲データの順序を設定するとともに、順次再生を行なう各楽曲データについては、前記記憶手段に記憶された抽出再生データを用いて、その一部分のみを再生させることができる
を備えて構成されることを特徴とする再生装置。
【請求項３】  １又は複数の楽曲データが記録された記録媒体に対応する再生装置として、
再生可能状態に収納されている１又は複数の記録媒体のそれぞれの各楽曲データについて、その一部分を抽出して再生させることができるようにするための抽出再生データが記憶されている記憶手段と、
プログラム操作に応じて再生すべき楽曲データの順序を設定するとともに、順次再生を行なう各楽曲データについては、前記記憶手段に記憶された抽出再生データを用いて、その一部分のみを再生させることができる再生制御手段と、
を備えて構成されることを特徴とする再生装置。」
（ろ）「【０００１】
【産業上の利用分野】本発明は
ビデオＣＤなどの記録媒体
（は）「【０００８】
【作用】楽曲データの一部、例えばサビの部分や、３番まである曲の１番のみなどを再生するためには、その部分の再生を行なうためのアドレス情報が必要になる。この
アドレス情報（開始アドレスとなるエントリーポイントと、終了アドレスとなるエクジットポイント）を抽出再生データとして記録媒体に記録する
【０００９】・・・（略）・・・
【００１０】このように抽出再生データに基づく再生動作を、指定された複数の楽曲について連続的に行なっていくことにより、メドレー形式の演奏が可能となる。
【００１１】
【実施例】以下、本発明の実施例を以下の順序で説明する。
Ｉ．記録媒体の実施例
II．再生装置の実施例１
III．再生装置の実施例２
IV．再生装置の実施例３
Ｖ．各種変形例
【００１２】［Ｉ．記録媒体の実施例］本発明の記録媒体としては、記録されている楽曲のそれぞれについて、サビなどの一部分を再生するための抽出再生データとして、その開始アドレスとなるエントリーポイントと、終了アドレスとなるエクジットポイントが記録されているものである。ここでは、記録媒体としてビデオＣＤを例にあげ、管理情報内での抽出再生データが記録されるエリアを説明する。
【００１３】
ビデオＣＤ規格は、
ＣＤ−ＲＯＭディスクから
動画像及び音声を再生することができるようにしたものである。
【００１４】即ち、ＣＤ−ＤＡと同様にＴＯＣ及びサブコードが記録されてトラック数、各トラックの開始位置（絶対時間）、トラックナンバなどが示されている。さらにビデオＣＤにはトラック１がビデオＣＤデータトラックとして用いられ、各種管理情報が記録される。
【００１５】
ビデオＣＤのディスク上のトラック構造を図１（ａ）に示した。ビデオＣＤでは、
ディスク最内周側にリードインエリアが設けられ、ＴＯＣデータが記録されている。そしてリードインエリアに続いてトラック＃１〜トラック＃ｎが記録され、最外周位置にリードアウトエリアが設けられている。
【００１６】ここで
ビデオＣＤの場合、トラック＃１は第１トラックとしての実際の映像又は音声データの記録には用いられておらず、ビデオＣＤデータトラックとして使用されている。つまり、ＴＯＣデータ及びビデオＣＤデータトラックが、ビデオＣＤの管理情報として記録されている。トラック＃２〜トラック＃ｎには実際の映像／音声データが記録される。従ってカラオケ用のディスクであれば、（ｎ−１）曲の楽曲データが記録されることになる。
１曲（１トラック）が１シーケンス
【００１７】トラック＃１を用いたビデオＣＤデータトラックには、図１（ｂ）に示すようにＰＶＤ（基本ボリューム記述子）、カラオケベーシックインフォメーションエリア、ビデオＣＤインフォメーションエリア、セグメントプレイアイテムエリア、その他のファイル（ＣＤ−Ｉアプリケーションプログラム等）が用意されている。
【００１８】ＰＶＤはディスク上の絶対時間アドレス００：０２：１６（分／秒／フレーム）からの位置に配置される。またカラオケベーシックインフォメーションエリアは絶対時間アドレス００：０２：１６からの位置に配置される。ビデオＣＤインフォメーションエリアは絶対時間アドレス００：０４：００からの位置に配置される。そして、セグメントプレイアイテムエリアはビデオＣＤインフォメーションエリア内で示される位置から、またＣＤ−ＩアプリケーションプログラムなどのファイルはＰＶＤ内で示される位置から、それぞれ配置される。
【００１９】これらはそれぞれビデオＣＤの再生動作のための管理情報となるが、特にカラオケ用途のディスクの場合、各楽曲データに関する各種管理情報がカラオケベーシックインフォメーションエリアに記述される。カラオケベーシックインフォメーションエリアには、図２（ａ）に示すようにグループ０〜グループＮまでで構成されるカラオケインフォメーションファイルが記録されている。カラオケインフォメーションファイルは最大１２８Ｋバイトのエリアとされる。
【００２０】このカラオケインフォメーションファイルにおいてグループ０はディスクアイテムが記録され、グループ１〜グループＮにはそれぞれシーケンス＃１〜＃Ｎ（つまり１曲目〜Ｎ曲目）についてのシーケンスアイテムが記録される。グループ０〜グループＮの各グループは、図２（ｂ）のように構成されている。つまり、アイテムパケット０〜アイテムパケットＭが設けられる。そしてアイテムパケット数（Ｍ個）は規定されていないため、先頭にグループ長として、アイテムパケット０〜アイテムパケットＭまでのバイト数が記録されている。
【００２１】
各アイテムパケットには、図２（ｃ）のようにアイテムナンバ、アイテム長、テキストデータが記録される。テキストデータは実際のアイテムとしての内容であり、その内容の種別はアイテムナンバ毎に定義されている。
【００２２】アイテムナンバは１バイトで形成され、図２（ｄ）のようにビットｂ０〜ｂ５の６ビットで、そのアイテムパケットのアイテムナンバが記録される。なおビットｂ７はラストアイテムフラグとして用いられ、グループ内の最後のアイテムパケットにおいては、ビットｂ７＝『１』とされる。６ビットのアイテムナンバ記録により、０〜６３のアイテムナンバが表現されるが、０〜６３の各アイテムナンバに対応して、テキストデータとして記録されるデータ内容が定義されている。
【００２３】アイテムナンバ０〜７は、ディスクアイテム（グループ０）におけるアイテムパケットに用いられるもので、そのアイテム内容が図３のように定義される。アイテムナンバ０のアイテムパケットにはテキストデータとしてディスクタイトルが記述される。またアイテムナンバ１のアイテムパケットにはテキストデータとしてディスクのカタログナンバが記述される。またアイテムナンバ２のアイテムパケットにはディスクに記録された総シーケンス数（つまり曲数）が記録され、アイテムナンバ３のアイテムパケットにはディスクの内容記述が行なわれる。アイテムナンバ３〜７についてはディスク製作者が設定することができるアイテムナンバとして用意されている。
【００２４】一方、
アイテムナンバ８〜６３は、シーケンス＃１アイテム〜シーケンス＃Ｎアイテム（グループ１〜グループＮ）におけるアイテムパケットに用いられるもので、そこに記録されるテキストデータについて、図４のように定義されている。
【００２５】同様に、アイテムナンバが１０〜２１となる各アイテムパケットには、その対応するシーケンスについての、分類用シーケンスライトル、パフォーマー名、分類用パフォーマー名、ソングライター名、コンポーザー名、アレンジャー名、プレイヤー名、ソングテキストのヘッダパート、ソングテキスト、カラオケキー（調性）、オリジナルキー（調性）、シーケンスの内容記述、が記録される。
【００２６】そして、
アイテムナンバ２２〜３１についてはディスク製作者が設定することができるアイテムナンバとして用意されている。本実施例のビデオＣＤにおいては、このアイテムナンバ２２〜３１の一部を用いることで、各曲（シーケンス）について、エントリーポイント、エクジットポイントを記録するようにする。つまり、各曲のサビの部分などのみを抽出して再生させるための抽出再生データとなる開始アドレス（エントリーポイント）と終了アドレス（エクジットポイント）を記述する。
【００２７】このように抽出再生データを記録しておくことで、再生装置ではこの情報を読み込めば、或る楽曲について通常どおり最初から最後まで再生させるのみでなく、ディスク製作者が設定した、その曲の或る一部分のみを再生させることができる。つまりエントリーポイントに再生ヘッドをアクセスさせて再生を開始するとともに、エクジットポイントに達したら、再生を終了させればよい。なお、一例としてビデオＣＤについて説明したが、他の種類の記録媒体でもこのような抽出再生データを記録することは可能である。」
（に）「【００４０】即ち、各ディスクについての各楽曲（シーケンス）のエントリーポイントとエクジットポイントとされているアドレスを読み取り、それらをＲＡＭ９ｂにおいて図８のようにディスクナンバ、シーケンスナンバに対応して記憶させる。ビデオＣＤにおいてエントリーポイント、エクジットポイントとしては、分：秒：フレーム形式による
絶対アドレス
（ほ）「【００４７】システムコントローラ８は、ステップF113に進んだ場合は、プログラムナンバ１から順に各曲を再生させることになるが、この処理は図７に示される。まずプログラムナンバとしての変数Ｐを１にセットする(F201)。そしてチェンジャーコントローラ７に対してプログラムナンバＰ（Ｐ＝１）としてＲＡＭ９ａに記憶されているディスクナンバを伝え、収納部３ａ又は３ｂからプレーヤ部５ａ又は５ｂのいづれかにローディングさせる(F202)。
【００４８】ここでシステムコントローラ８は図８のように抽出再生データを記憶したＲＡＭ９ｂを参照して、プログラムナンバＰ（Ｐ＝１）のディスクナンバ、シーケンスナンバに対応して記憶されているエントリーポイント、エクジットポイントを読み出し、エントリーポイントをＥＴ、エクジットポイントをＥＸとしてセットする(F203)。そしてまずチェンジャーコントローラ７に対してエントリーポイントＥＴ、エクジットポイントＥＸを送信し、ローディングを行なったプレーヤ部５ａ又は５ｂにおいて、エントリーポイントＥＴからの再生を実行させる(F204)。
【００４９】この時点でプログラム指定された第１曲目について、そのエントリーポイントＥＴで指定された箇所からの再生演奏が開始される。ここでシステムコントローラ８は変数Ｐをインクリメントし(F205)、変数ＰがＰMAX を越えていなければステップF206からF207に進む。ＰMAX とは設定されたプログラム数であり、例えば図９のように７曲指定されている場合はＰMAX ＝７である。つまりステップF206では現在演奏している曲がプログラム指定された最後の曲であるか否かを判別している。
【００５０】最後の曲ではない場合、つまり次の曲がある場合は、ステップF205で変数Ｐがインクリメントされた後、システムコントローラ８はステップF207でそのプログラムナンバＰとしてＲＡＭ９ａに記憶されている対応するディスクナンバをチェンジャーコントローラ７伝え、収納部３ａ又は３ｂから現在再生動作を行なっていない側のプレーヤ部（５ａ又は５ｂ）にローディングさせる。プログラムナンバ１の曲が再生されている時点ではＰ＝２とされるため、２曲目の再生準備を行なうことになる。
【００５１】そしてシステムコントローラ８は、ＲＡＭ９ｂを参照して、プログラムナンバＰ（Ｐ＝２）のディスクナンバ、シーケンスナンバに対応して記憶されているエントリーポイント、エクジットポイントを読み出し、エントリーポイントをＥＴN 、エクジットポイントをＥＸN としてセットする(F208)。
【００５２】ステップF209において、システムコントローラ８はチェンジャーコントローラ７を介して現在再生中のプレーヤ部の再生アドレスを監視しており、再生アドレスがその曲のエクジットポイントＥＸに達したか否かを判別している。エクジットポイントＥＸに達したら、現在の曲がプログラムの最後の曲でなければ (F210→NO) 、まず次の曲に対応するためにエントリーポイントＥＴN 、エクジットポイントＥＸN として取り込んでおいた値により、エントリーポイントＥＴ、エクジットポイントＥＸを更新する(F211)。
【００５３】そして再生動作中のプレーヤ部に対して再生停止処理を行ない(F212)、続いて非動作中のプレーヤ部、つまりステップF207で次の曲のディスクをローディングしておいた側のプレーヤ部に対して、エントリーポイントＥＴからの再生を開始させる(F213)。これにより、或る曲の一部分（例えばサビのみ）の再生が終了した後、即座に、次の曲の一部分の再生が開始され、メドレーとして良好につながることになる。その後、ステップF205に戻って同様の処理が繰り返されていくことで、メドレープログラムでセットされた各曲について、それぞれのサビ部分などがメドレー形式でつながって順次再生されていくことになる。
【００５４】なお、図７には示していないが、連続して指定された曲が同一のディスクに収録されている場合は、その曲の切り換え時点の処理としてはエクジットポイントから次の曲のエントリーポイントまでのトラックジャンプを行なうのみでよいことはいうまでもない。
【００５５】メドレープログラム設定による最後のプログラムナンバの曲が再生されている時点では、ステップF206で肯定結果が出てステップF209に進む。そしてその再生中の曲がエクジットポイントに達した時点で、ステップF210で肯定結果が得られ、メドレー演奏を終了させることになる。
【００５６】以上のような本実施例の動作では、ユーザーは自分の好きな曲を順番に選んでメドレープログラム操作を行なうことで、それらの各曲の一部、例えばサビ部分などが連続されてメドレー形式で演奏されることになる。つまり自分で選曲したものをメドレー演奏させて歌うことができ、カラオケとして非常に楽しいものとなる。」
　
　上記各摘示事項及び図面の記載を総合勘案すると、
　上記（は）の【００１５】における「ビデオＣＤのディスク上のトラック構造を図１（ａ）に示した。ビデオＣＤでは・・・（略）・・・ディスク最内周側にリードインエリアが設けられ、ＴＯＣデータが記録されている。そしてリードインエリアに続いてトラック＃１〜トラック＃ｎが記録され、最外周位置にリードアウトエリアが設けられている。」に関し、図１（ａ）から、トラック＃１〜トラック＃ｎに関し、トラック＃１がリードインエリア側に設けられ、トラック＃ｎがリードアウトエリア側に分割して設けられる事が明らかである。
　ここでトラック＃２〜トラック＃ｎは、「（ｎ−１）曲の楽曲データが記録される」（【００１６】）すなわち「１又は複数の楽曲データ・・・が記録されている」（【請求項１】）トラックである。
　トラック＃１は、「ビデオＣＤデータトラックとして使用されている」ものであって、「ビデオＣＤデータトラックが、ビデオＣＤの管理情報として記録されている」（【００１６】）のであり、すなわち「管理情報が記録されている」（【請求項１】）トラックである。
　以上から、引例１には、
１又は複数の楽曲データが記録されているトラックが外周側に、管理情報が記録されているトラックが内周側に分割して設けられる
　また、上記「１又は複数の楽曲データが記録されているトラック」の位置、要するに記録されている楽曲データの位置にアクセスする為に、
上記「１又は複数の楽曲データが記録されているトラック」に、当該トラックの位置、要するに楽曲データの位置を示す「絶対アドレス」（【００４０】）が記録されている
　更に、図１及び２に係る記載（特に【００１６】ないし【００２０】）に見られるように、「各アイテムパケットには、図２（ｃ）のようにアイテムナンバ、アイテム長、テキストデータが記録される。」（【００２１】）における「アイテムパケット」は、上記「管理情報が記録されているトラック」に含まれており、すなわち、
上記管理情報が記録されているトラックには、アイテムナンバ、テキストデータが記録される。
　結局のところ、引例１には次の発明が記載されているものと認める。
「ビデオＣＤなどの記録媒体であって、
　１又は複数の楽曲データが記録されているトラックが外周側に、管理情報が記録されているトラックが内周側に分割して設けられており、
　上記１又は複数の楽曲データが記録されているトラックには上記楽曲データの位置を示す絶対アドレスが記録されており、
  上記管理情報が記録されているトラックには、アイテムナンバ、テキストデータが記録され、テキストデータの種別はアイテムナンバ毎に定義されており、
　アイテムナンバ２２〜３１の一部を用いることで、各曲のサビの部分などのみを抽出して再生させるための抽出再生データを記述し、
　再生可能状態に収納されている記録媒体から各楽曲データについての抽出再生データを読み出し、再生すべき楽曲データの順序を設定するとともに、順次再生を行なう各楽曲データについては、抽出再生データを用いて、その一部分のみを再生させることができる再生装置が対応する、
　記録媒体。」（以下「引例１発明」という。）
　　　　　　　　
３．対比・判断
　
　本願発明と引例１発明とを対比する。
（i）引例１発明における「ビデオＣＤなどの記録媒体」は、「ビデオＣＤ規格は・・・（略）・・・ＣＤ−ＲＯＭディスクから・・・（略）・・・動画像及び音声を再生することができるようにしたものである」（【００１３】）から、本願発明における「再生専用光ディスク」に相当する。
（ii）引例１発明における「楽曲データ」「１又は複数の楽曲データが記録されているトラック」及び「管理情報が記録されているトラック」は、本願発明における「プログラム」「プログラム領域」及び「管理領域」に各々相当する。
　そして、引例１発明における「１又は複数の楽曲データが記録されているトラックが外周側に、管理情報が記録されているトラックが内周側に分割して設けら」は、本願発明における「プログラム領域と管理領域とがその径方向に分割して形成」に相当する。
（iii）引例１発明における「絶対アドレス」は、本願発明における「アドレス情報」に相当する。
（iv）引例１発明における「アイテムナンバ」「テキストデータ」及び「サビの部分」は、本願発明における「識別情報」「テキスト情報」及び「ダイジェスト情報」に、
　引例１発明における「抽出再生データ」は、「サビの部分など（ダイジェスト情報）のみを抽出して再生させる」管理をするためのものであるから、本願発明における「ダイジェスト管理情報」と、「ダイジェスト情報を管理する」点において共通するから、
　引例１発明における
「上記管理情報が記録されているトラックには、アイテムナンバ、テキストデータが記録され、テキストデータの種別はアイテムナンバ毎に定義されており、
　アイテムナンバ２２〜３１の一部を用いることで、各曲のサビの部分などのみを抽出して再生させるための抽出再生データを記述し、」
は、本願発明における
「上記管理領域には、識別情報と上記識別情報によって第１および第２の内容が規定される付随情報とが記録されており、
　上記第１の内容は、上記複数のプログラムに関連するテキスト情報であり、
　上記第２の内容は、上記複数のプログラムのそれぞれの一部であるダイジェスト情報を管理するダイジェスト管理情報であり、」
に相当する。
（v）引例１発明における「抽出再生データ」は、「アドレス情報（開始アドレスとなるエントリーポイントと、終了アドレスとなるエクジットポイント）を抽出再生データとして記録媒体に記録する」（【０００８】）ものであるから、本願発明における「記録位置情報」に相当する。
（vi）引例１発明における「再生装置」「装填」「順序」及び「記録媒体」は、本願発明における「再生装置」「収納」「順番」及び「記録媒体」に相当する。
（vii）引例１発明において「順序を設定する」にあたり、前記順序が再生装置に読み込まれる事は明らかであるから、引例１発明における「順序」は、本願発明における「読み込まれた」に相当する機能を有する。
　
　そうすると、本願発明と引例１発明との＜一致点＞＜相違点＞は以下のとおりである。
＜一致点＞
「再生専用光ディスクであって、プログラム領域と管理領域とがその径方向に分割して形成されており、
　上記プログラム領域には、複数のプログラムと、上記プログラムの位置を示すアドレス情報とが記録されており、
　上記管理領域には、識別情報と上記識別情報によって第１および第２の内容が規定される付随情報とが記録されており、
　上記第１の内容は、上記複数のプログラムに関連するテキスト情報であり、
　上記第２の内容は、上記複数のプログラムのそれぞれの一部であるダイジェスト情報を管理するダイジェスト管理情報であり、
　上記ダイジェスト管理情報は、上記ダイジェスト情報のアドレスを示す記録位置情報を含み、
　再生装置に装填されて上記管理領域が再生装置に読み込まれ、上記ダイジェスト情報のみを再生する場合に、読み込まれた順番でもって、読み込まれた上記記録位置情報が指示するアドレスに記録されているダイジェスト情報が再生される記録媒体。」
である点。
　　
＜相違点＞
　記録媒体の管理領域に記録されている「ダイジェスト管理情報」が、本願発明では「上記複数のプログラムの記録時に決定された、上記ダイジェスト情報の再生の順番を指示する優先度情報」を含むものであって、ダイジェスト情報が再生される「順番」が「上記優先度情報で示される」のに対し、引例１発明ではそのように特定されていない点。
　　
　上記相違点について検討する。
　原査定の拒絶の理由において引用された刊行物である特開平４−２２８１６４号公報（以下「引例２」という。）には、「ディスク中の曲を自由に選び希望する順序で再生する」「プログラム再生」（【０００２】参照）に関し、「プログラム情報を・・・ディスクの演奏情報等の記録領域に近接して設けられたリードイン領域に記録するようにし、再生時に、上記ディスクのリードイン領域に記録されたプログラム情報・・・に従ってプログラム再生を行う」記載が（【請求項１】等参照。）、すなわち、プログラム情報がリードイン領域に記録されているディスクの構造に係る技術が記載されている。
　「再生すべき楽曲データの順序を設定する」引例１発明において、引例２に記載された技術を適用し、順序についての情報を管理情報に含むこと、すなわち、「ダイジェスト管理情報」に「ダイジェスト情報の再生の順番を指示する優先度情報」も含むようにし、ダイジェスト情報が再生される「順番」が「上記優先度情報で示される」ようにする事は、当業者が容易に想到し得たものである。
　そして、記録媒体に記録される情報が「複数のプログラムの記録時に決定され」る事は、当該情報を特に限定することのない、周知の設計態様である。引例２に記載された上記構造が、たとえ記録可能なディスクを想定して記載されたものであるとしても、上記構造自体は、記録可能なディスクの構造であるか再生専用のディスクの構造であるかの特定を必須とするものではないから、引例１発明に引例２に記載の技術を適用するにあたり、「優先度情報」を「複数のプログラムの記録時に決定された」ものとする事は、前記周知の設計態様に基づき当業者が適宜なし得たものである。
　　　　
  上記相違点を勘案しても、本願発明の奏する効果は引例１及び２に記載された発明から当業者が十分予測可能なものであって格別なものとは言えず、本願発明は、引例１及び２に記載された発明、及び周知技術から当業者が容易に想到し得たものである。
　　
４．むすび
　　
  以上のとおり、本願の請求項１に係る発明は、その出願前に日本国内において頒布された刊行物に記載された発明に基いて容易に発明をすることができたものであるから、特許法第２９条２項の規定により特許を受けることができない。
　したがって本願は、拒絶すべきものである。
　
　よって、結論のとおり審決する。